(57)【特許請求の範囲】
【請求項１】
モジュールラッチ機構において、
ハウジングに対しスライドするように配置されるとともに、前記ハウジングをホスト機器に選択的に係合させるように構成されている従動体であって、１以上の方向に弾性部材を保持するように構成されている保持部材を備え、それによって前記ハウジングに対する第１位置に向かって前記弾性部材が前記従動体を付勢する、前記従動体と、
前記ハウジングに対して回転するように配置されるよう構成されており、カムを備える駆動体であって、該カムは、前記駆動体がラッチ位置からアンラッチ位置まで回転させられるとき、前記ハウジングに対する第２位置に向かって前記従動体を付勢するように構成されている、前記駆動体と、を備え、前記保持部材は、前記ハウジングの凹部内においてスライドするように受容されるとともに、前記駆動体が前記アンラッチ位置に存在するとき、前記ハウジングの前記凹部によって規制されるようさらに構成されている、モジュールラッチ機構。
【請求項２】
前記駆動体は、前記ハウジングのフランジ付き開口部によって受容されるように構成されているフランジ付き突出部をさらに備える、請求項１に記載のモジュールラッチ機構。
【請求項３】
前記従動体は開口部を形成しており、該開口部は、前記フランジ付き突出部に前記開口部を通過させるように構成されている、請求項２に記載のモジュールラッチ機構。
【請求項４】
前記従動体によって形成されている前記開口部は、前記従動体が前記ハウジングに対する前記第１位置と前記第２位置との間を動くとき、前記従動体が前記フランジ付き突出部に対してスライドして動くことを可能にするようにさらに構成されている、請求項３に記載のモジュールラッチ機構。
【請求項５】
前記駆動体は掛止開口部を有し、該掛止開口部の表面が前記カムを形成し、さらに、前記掛止開口部は、組立用凹部を含み、該組立用凹部は、前記フランジ付き突出部が前記開口部を通過するように前記従動体と前記駆動体とが操作されるよう構成されている、請求項３に記載のモジュールラッチ機構。
【請求項６】
前記弾性部材は実質的に平坦である、請求項１に記載のモジュールラッチ機構。
【請求項７】
前記弾性部材は線ばねである、請求項６に記載のモジュールラッチ機構。
【請求項８】
前記駆動体は掛止開口部を有し、該掛止開口部の表面が前記カムを形成し、前記従動体は、前記掛止開口部内に受容されるとともに、前記カムの表面に係合するよう構成されている掛止突出部を備え、前記カムの表面は、前記駆動体が前記アンラッチ位置から前記ラッチ位置に回転させられるとき、前記掛止突出部と前記カムの表面とが接触した状態で前記従動体が前記ハウジングに対する前記第１位置に向かって前記弾性部材により付勢されるように形成されている、請求項１に記載のモジュールラッチ機構。
【請求項９】
さらに、前記カムの表面は、前記駆動体が前記ラッチ位置から前記アンラッチ位置まで回転させられるときに前記掛止突出部に係合するよう形成されており、それによって前記従動体が前記ハウジングに対する前記第２位置に向かって付勢される、請求項８に記載のモジュールラッチ機構。
【請求項１０】
請求項１に記載のモジュールラッチ機構を備える、光電気モジュール。
【請求項１１】
モジュールにおいて、
突出部を備えるハウジングと、
実質的に平坦である弾性部材と、
モジュールラッチと、を備え、該モジュールラッチは、
前記ハウジングに対しスライドするように配置されるとともに、前記ハウジングをホスト機器に選択的に係合させるように構成されている従動体であって、保持部材及び掛止突出部を備える、前記従動体と、
前記ハウジングに対して回転するように配置されるよう構成されており、カムを備える駆動体であって、該カムは、前記駆動体がラッチ位置からアンラッチ位置まで回転させられるとき、前記駆動体が前記ハウジングに対する第２位置に向かって前記従動体を付勢するように、前記従動体の前記掛止突出部に掛止するよう構成されている、前記駆動体と、を備え、
前記ハウジングの前記突出部と前記従動体の前記保持部材とは、前記ハウジングに対する第１位置に向かって前記弾性部材が前記従動体を付勢するとともに、前記従動体が前記ハウジングに対する第２位置に向かって付勢されるときに前記弾性部材が弾性変形するように、前記弾性部材の一部を保持するよう構成され、前記保持部材は、前記ハウジングの凹部内においてスライドするように受容されるとともに、前記駆動体が前記アンラッチ位置に存在するとき、前記ハウジングの前記凹部によって規制されるようさらに構成されている、モジュール。
【請求項１２】
前記駆動体は、フランジ付き突出部をさらに備え、
前記ハウジングは、前記フランジ付き突出部を前記ハウジングに対して保持するように構成されているフランジ付き開口部をさらに含み、
前記従動体は開口部を含み、該開口部は、
前記フランジ付き突出部が前記開口部を通過することと、
前記従動体が前記ハウジングに対する前記第１位置と前記第２位置との間を動くとき、前記従動体が前記フランジ付き突出部に対してスライドして動くことと、を可能にするように構成されている、請求項１１に記載のモジュール。
【請求項１３】
前記弾性部材は線ばねである、請求項１１に記載のモジュール。
【発明の詳細な説明】
【技術分野】
【０００１】
本明細書において説明されている実施形態は、一般に、通信モジュールに関する。より詳細には、例示的な実施形態は、通信モジュールをホスト機器のハウジングに選択的に係合させるためのラッチ機構に関する。
【背景技術】
【０００２】
通信モジュール（電気又は光電気の送受信機や応答機のモジュール等）は、電気通信及び光電気通信において使用されることが増えてきている。いくつかのモジュールは抜き差し可能であり、モジュールがホスト機器（ホストコンピュータ、スイッチングハブ、ネットワークルータ、又はスイッチボックス等）のハウジングに挿入されたり、それから取り外されたりすることが可能である。ホスト機器のハウジング内のラッチ機構は、挿入される通信モジュールを所定位置に物理的に固定するように形成され得る。通信モジュールを取り外すために、ラッチ機構は、通信モジュールの物理的な固定を解除するように操作され得る。
【０００３】
本明細書等において特許請求の範囲に記載されている主題は、上述した不都合等を解決する実施形態や上述した環境等においてのみ動作する実施形態に限定されない。むしろ、当該背景技術は、本明細書において説明されるいくつかの実施形態が実施され得る１つの例示的な技術領域を示すために提供されているに過ぎない。
【図面の簡単な説明】
【０００４】
【図１】例示的なホスト機器の一部と、例示的なホスト機器に挿入されているラッチ形態の例示的な光電気モジュールとの上面斜視図。
【図２Ａ】例示的なホスト機器の一部が省略されている、図１の例示的な光電気モジュールの上面斜視図。
【図２Ｂ】図２Ａの例示的な光電気モジュールの側面図。
【図２Ｃ】図２Ａの例示的な光電気モジュールの下面斜視図。
【図２Ｄ】図２Ａの例示的な光電気モジュールのアンラッチ形態における側面図。
【図２Ｅ】図２Ａの例示的な光電気モジュールのアンラッチ形態における下面斜視図。
【図３】図２Ａの例示的な光電気モジュールの例示的な底部ハウジングの下面斜視図。
【図４】図２Ａの例示的な光電気モジュールの例示的な従動体の上面斜視図。
【図５】別の例示的な従動体の上面斜視図。
【図６】図２Ａの例示的な光電気モジュールの例示的な駆動体の上面斜視図。
【図７】別の例示的な駆動体の上面斜視図。
【発明を実施するための形態】
【０００５】
通信モジュールをホスト機器のハウジングに選択的に係合させるためのラッチ機構用のシステムに関する本発明の実施形態によって、上記の及び他の制限が克服される。
このサマリは、詳細な説明において以下にさらに説明される概念から選択された概念を単純化した形態により導入するために提供されている。このサマリは、特許請求の範囲に記載される主題の重要な構造や不可欠な特徴を識別するようには意図されておらず、また、特許請求の範囲に記載される主題の範囲を決定するのに役立つものとして用いられるようにも意図されていない。
【０００６】
例示的な実施形態では、モジュールラッチ機構は、従動体と駆動体とを備える。従動体
は、ハウジングに対しスライドするように配置されるとともに、ハウジングをホスト機器に選択的に係合させるように構成されている。従動体は、１以上の方向に弾性部材を保持するように構成されている保持部材を備え、それによってハウジングに対する第１位置に向かって弾性部材が従動体を付勢する。駆動体は、ハウジングに対して回転するように配置されるよう構成されている。駆動体はカムを備え、そのカムは、駆動体がラッチ位置からアンラッチ位置まで回転させられるとき、ハウジングに対する第２位置に向かって従動体を付勢するように構成されている。
【０００７】
別の例示的な実施形態では、モジュールは、ハウジングと、実質的に平坦である弾性部材と、モジュールラッチと、を備える。ハウジングは、突出部を備える。モジュールラッチは、従動体と駆動体とを備える。従動体は、保持部材及び掛止突出部を備える。従動体は、ハウジングに対してスライドするように配置されるよう構成されている。従動体は、ハウジングをホスト機器に選択的に係合させるように構成されている。駆動体は、ハウジングに対して回転するように配置されるよう構成されている。駆動体はカムを備え、そのカムは、駆動体がラッチ位置からアンラッチ位置まで回転させられるとき、駆動体がハウジングに対する第２位置に向かって従動体を付勢するように、従動体の掛止突出部に掛止するよう構成されている。ハウジングの突出部と従動体の保持部材とは、ハウジングに対する第１位置に向かって弾性部材が従動体を付勢するとともに、従動体がハウジングに対する第２位置に向かって付勢されるときに弾性部材が弾性変形するように、弾性部材の一部を保持するよう構成されている。
【０００８】
本発明の追加の特徴及び利点は、下記の説明において述べられ、部分的には説明から明らかであり、又は本発明の実施によって知られ得る。本発明の特徴及び利点は、添付の特許請求の範囲において特に示される装置及び組み合わせによって実現され、得られる。本発明のこれらの及び他の特徴は、下記の説明及び添付の特許請求の範囲からより十分に明らかになり、また下記の本発明の実施によって知られ得る。
【０００９】
本発明の上記の及び他の利点及び特徴をさらに明確にするために、本発明のより詳細な説明が、添付の図面に示されている本発明の具体的な実施形態を参照して与えられる。その図面は本発明の典型的な実施形態のみを示しており、したがって、本発明の範囲を限定するものとは考えられないことが認められる。本発明は、添付の図面を用いることを通じて、追加の具体性及び詳細とともに記載され、説明される。
【００１０】
例示的な実施形態は、通信モジュールをホスト機器のハウジングに選択的に係合させるためのラッチ機構と、そのようなラッチ機構を含む選択的に係合可能な通信モジュールとに関する。本明細書において開示されているラッチ機構のいくつかの実施形態によって、通信モジュールをホスト機器のハウジングに選択的に係合させることが可能となる。本明細書において説明されている実施形態は、従来のラッチ機構と比較して、含まれる部品をより少なくできたり含まれる部品をより複雑でないようにできたりして、単純化された組み立てを可能とし得る。少なくともこの理由により、ラッチ機構の実施形態は、従来のラッチ機構よりも低廉であること、及び／又は従来のラッチ機構よりも通信モジュールとともに実装するのに低廉であることが可能である。
【００１１】
本明細書において開示されているラッチ機構のいくつかの例示的な実施形態は、さらに、ラッチ機構が動作させられているとき、通信ケーブルを通信モジュールに差し込まれたままにできる。したがって、ラッチ機構の実施形態は、通信ケーブルを通信モジュールから抜くことなく、通信モジュールがホスト機器のハウジングから係合を外されることを可能にし得る。通信モジュールがホスト機器のハウジングから取り外されるとき、通信ケーブルが通信モジュールに差し込まれているようにしておくことは、いくつかの利点を提供できる。例えば、取り外された通信モジュールは、通信ケーブルが逆になる恐れがなく、
別のホスト機器の別のハウジングに再配置され得る。取り外された通信モジュールが取り替えられる場合、その取り外された通信モジュールから取り替えられる通信モジュールに直接的に通信ケーブルが再配置され得るので、取り替えプロセスを迅速化すること及び／又は通信ケーブルが逆になる可能性を低減することが可能になる。
【００１２】
ここで、図面を参照すると、類似の構造には類似の参照符号が提供されている。図面は、例示的な実施形態の図による概略の表現であり、したがって、本発明の範囲を限定するものではなく、また、必ずしも縮尺に従っていないことが理解される。さらに、開示される実施形態の多くの構造が実質的に対称的な場合があることと、ある構造に対する複数形の参照が一対の類似の構造を参照しているが、その類似の構造のうちの１つのみが、図面において符号が付けられている場合があることとが理解される。
【００１３】
１．  例示的なホスト機器と通信モジュール
図１は、例示的なホスト機器１００の一部と、例示的なホスト機器１００に挿入されているラッチ形態の例示的な光電気モジュール２００との上面斜視図である。一般に、光電気モジュール２００は、光信号通信において、対応する電気信号通信において利用されるホスト機器１００に関連して利用される場合がある。
【００１４】
光電気モジュール２００は、光電気モジュール２００の前部において、送信ポート２０４と受信ポート２０５とを備え得る。光電気モジュール２００は、送信ポート２０４及び受信ポート２０５を介した様々なデータ速度における光信号の送受信のために構成されることが可能であり、その様々なデータ速度には、１．２５Ｇｂ／ｓ、２．１２５Ｇｂ／ｓ、２．５Ｇｂ／ｓ、４．２５Ｇｂ／ｓ、８．５Ｇｂ／ｓ、１０．３Ｇｂ／ｓ、１０．５Ｇｂ／ｓ、１１．３Ｇｂ／ｓ、１４．０２５Ｇｂ／ｓ、又は１００Ｇｂ／ｓ以上のデータ速度が含まれるが、これらに限定されない。さらに、光電気モジュール２００は、様々な波長における光信号の送受信のために構成されることが可能であり、その様々な波長には、８５０ｎｍ、１３１０ｎｍ、１４７０ｎｍ、１４９０ｎｍ、１５１０ｎｍ、１５３０ｎｍ、１５５０ｎｍ、１５７０ｎｍ、１５９０ｎｍ、又は１６１０ｎｍが含まれるが、これらに限定されない。さらに、光電気モジュール２００は、様々な通信プロトコルをサポートするように構成されることが可能であり、その様々な通信プロトコルには、光ファストイーサネット（登録商標）、光ギガビットイーサネット、１０ギガビットイーサネット、並びに１ｘ、２ｘ、４ｘ、８ｘ、及び１６ｘのファイバチャネルが含まれるが、これらに限定されない。さらに、光電気モジュール２００の一例は、ＣＦＰ２  ＭＳＡに実質的に従っている形態因子を有するように構成されるが、これに代えて、モジュール２００は、他のＭＳＡに実質的に従っている様々な異なる形態因子において構成されてもよく、他のＭＳＡには、ＣＦＰ  ＭＳＡ、ＣＦＰ４  ＭＳＡ、ＱＳＦＰ  ＭＳＡ、ＸＦＰ  ＭＳＡ、ＳＦＰ  ＭＳＡ、又はＳＦＰ＋  ＭＳＡが含まれるが、これらに限定されない。最後に、光電気モジュール２００は、抜き差し可能な光電気送受信機モジュールとして示されているが、これに代えて、本明細書において開示されているラッチ機構の例示的な実施形態は、例えば、抜き差し可能な電気送受信機モジュール、他の抜き差し可能な電子機器（抜き差し可能なメディアドライブ等）等に関連して利用されてもよい。
【００１５】
ホスト機器１００は、ホストプリント回路基板（図示せず）に接続されるように構成されているケージ１０２を備え得る。ケージ１０２は、光電気モジュール２００を少なくとも部分的に受容するように構成されている。ケージ１０２は、ケージ１０２の対向する側面上に配置されている一対の内向きに偏向させられた板ばね１０４を備える。板ばねは、内向きに偏向させられているが、光電気モジュール２００をホスト機器のケージに挿入することを実質的に妨げない。板ばね１０４は、光電気モジュール２００が少なくとも部分的に受容されるケージ１０２の前部から離れて延びている。ホスト機器１００は、一般に、光電気モジュール２００に対する電気接続を形成し、電気信号がホスト機器１００と光
電気モジュール２００との間において通信される。
【００１６】
図２Ａは、例示的なホスト機器１００の一部が省略されている、図１の例示的な光電気モジュール２００の上面斜視図である。光電気モジュール２００は、“ラッチ”形態において示されている。例示的な光電気モジュール２００は、底部ハウジング２０２と頂部ハウジング２０３とを備える。底部ハウジング２０２と頂部ハウジング２０３とは、ともに、一般に光電気モジュール２００のハウジングと呼ばれ得るものを形成する。底部ハウジング２０２及び／又は頂部ハウジング２０３は、受信機及び／又は送信機の回路（図示せず）を少なくとも部分的に囲む場合があり、その回路には、ホスト機器に電気的に結合させられるように構成されているエッジコネクタ（図示せず）を有するプリント回路基板が含まれる。底部ハウジング２０２及び／又は頂部ハウジング２０３は、亜鉛からダイカストにより製造される場合がある。これに代えて、又はさらに、底部ハウジング２０２及び／又は頂部ハウジング２０３は、他の適切な材料又は他の適切な材料の組み合わせから、ダイカストにより製造される場合もあれば、別様に製造される場合もある。
【００１７】
２．  例示的なラッチ機構
図２Ａに開示するように、光電気モジュール２００は、駆動体２２０と従動体２０６とを備える。駆動体２２０と従動体２０６とは、様々な方法により形成されてよく、その様々な方法には、金属のスタンピングや硬質プラスチックの成形が含まれる。
【００１８】
従動体２０６は、底部ハウジング２０２及び頂部ハウジング３０３に対してスライドするように配置されるよう構成されている。従動体２０６は、ハウジングに対する第１位置に示されている。従動体２０６は、底部ハウジング２０２の対向する側面上に一対の従動体アームを備えている。従動体アームは、凹部２１０を含む。従動体アームは、凹部２１０に接続されている曲げ部２０８をさらに備え得る。凹部２１０、底部ハウジング２０２、頂部ハウジング３０３は、光電気モジュール２００がラッチ形態のとき、ホスト機器のケージの板ばね（図１に開示している）が少なくとも部分的には凹部２１０内に収まるように構成されている。
【００１９】
底部ハウジング２０２は、凹部２１０に近接してショルダ２１６を備える。ショルダ２１６は、板ばねが凹部２１０内に存在するとき、板ばねに少なくとも部分的に当接するように構成されている。光電気モジュール２００がラッチ形態のとき、ショルダ２１６と板ばねとの係合は、光電気モジュール２００がケージ（図１に開示している）内において有意に動くことを抑制するように機能する。これによって、光電気モジュール２００とホスト機器との間の電気接続が維持され、意図せず接続が断たれることは、なくならないとしても低減され得る。
【００２０】
従動体アームは、光電気モジュール２００がラッチ形態のとき、ショルダ２１６を越えて延びているフィンガ２１４を備え得る。フィンガ２１４は、傾斜面２１２を備え得る。光電気モジュール２００がラッチ形態からアンラッチ形態に動かされるとき、フィンガ２１４と傾斜面２１２とは、光電気モジュール２００がホスト機器のケージから取り外されるように板ばねを動かすよう機能する。一般に、駆動体２２０がラッチ位置（図１及び図２Ａ〜図２Ｃに示している）からアンラッチ位置（図２Ｄ及び図２Ｅに示している）まで回転するときに、光電気モジュール２００がラッチ形態からアンラッチ形態に動く。光電気モジュール２００をラッチ形態からアンラッチ形態に動かすことは、以下においてさらに詳細に開示されている。
【００２１】
図２Ｂは、図２Ａの例示的な光電気モジュールの側面図である。駆動体２２０は、底部ハウジング２０２に対して回転するように配置されるよう構成されている。駆動体２２０は、底部ハウジング２０２のフランジ付き開口部（図３に示している）によって受容され
るように構成されているフランジ付き突出部２２４を備える。フランジ付き突出部２２４とフランジ付き開口部とは、以下においてさらに詳細に開示されている。
【００２２】
図２Ｂに開示するように、駆動体２２０は、掛止開口部２２２の表面から形成されるカムを備える。掛止開口部２２２の表面は、駆動体２２０がラッチ位置からアンラッチ位置まで回転させられるときに従動体２０６の掛止突出部２１８に係合するよう形成されており、それによって従動体２０６がハウジングに対する第２位置（図２Ｄに示している）に向かって付勢される。さらに、掛止開口部２２２の表面は、駆動体２２０がアンラッチ位置からラッチ位置まで回転させられるときに従動体２０６がハウジングに対する第１位置（図２Ｂに示している）に向かって付勢されるように、掛止突出部２１８に係合するよう形成されている。掛止突出部２１８は、一般に、駆動体２２０の回転中、従動体２０６をハウジングに対してスライドさせるように、掛止開口部２２２の対応する表面に対してスライド可能である。掛止開口部２２２は、図６及び図７を参照して以下に開示されているように、組立用凹部とデテントとをさらに含み得る。
【００２３】
図２Ｃは、図２Ａの例示的な光電気モジュール２００の下面斜視図である。図２Ｃに開示するように、光電気モジュール２００は、従動体２０６をハウジングに対する第１位置に向かって付勢するように構成されている弾性部材２２８を備える。従動体２０６は、弾性部材２２８を少なくとも部分的に保持するように構成されている保持部材２３０を備える。図２Ｃに開示するように、保持部材２３０は、従動体２０６のうちの変形させられている部分から形成されていることがあり、その部分は、弾性部材２２８を受容するような形状とされている。保持部材２３０は、従動体２０６がハウジングに対する第１位置と第２位置との間を動くとき、弾性部材２２８を保持部材２３０に対してスライドさせ得る。
【００２４】
底部ハウジング２０２は、突出部２２６を備え得る。突出部２２６は、弾性部材２２８の一部を底部ハウジング２０２に対して保持できる。いくつかの実施形態では、図２Ｃに開示するように、弾性部材２２８は、突出部２２６によって保持されて実質的にスライドしないように形成される。図２Ｃに開示するように、突出部２２６は、弾性部材２２８の略中央において弾性部材２２８を保持できる一方、従動体２０６の保持部材２３０は、弾性部材２２８の端部を保持できる。これに代えて、従動体２０６が略中央において弾性部材２２８を保持する一方、底部ハウジング２０２が弾性部材２２８の端部を保持してもよい。これに代えて、又はさらに、異なるように形成された弾性部材が使用されてもよい。
【００２５】
一般に、弾性部材２２８と突出部２２６と保持部材２３０との構成は、従動体２０６を光電気モジュール２００の後部に向かって付勢するように機能する。いくつかの実施形態では、弾性部材２２８は、光電気モジュール２００がラッチ形態のとき、従動体２０６を光電気モジュール２００の後部に向かって付勢する。ラッチ形態のときに従動体２０６を光電気モジュールの後部に向かって付勢することによって、駆動体２２０が回転させられていない場合、従動体２０６と駆動体２２０とがラッチ位置に安定して固定される。
【００２６】
図２Ｃに開示するように、弾性部材２２８は、従動体２０６が底部ハウジング２０２に対し比較的近くに配置されるように実質的に平坦である場合がある。底部ハウジング２０２は、保持部材２３０を少なくとも部分的に受容するための凹部２３２を備える場合があり、これによって、さらに、従動体２０６が底部ハウジング２０２に対し比較的近くに配置されることが可能になり得る。
【００２７】
図２Ｄ及び図２Ｅは、それぞれ、図２Ａの例示的な光電気モジュールのアンラッチ形態における側面図及び下面斜視図である。光電気モジュール２００をホスト機器のケージ（図１に示しているケージ１０２等）から取り出すために、駆動体２２０は、一般に、ラッチ位置（図１〜図２Ｃに示している）からアンラッチ位置（図２Ｄ及び図２Ｅに示してい
る）に回転させられる。図２Ｄ及び図２Ｅに開示するように、駆動体２２０がアンラッチ位置に回転するとき、弾性部材が生成する付勢力が打ち負かされ、従動体２０６が、ハウジングに対してスライドする。図２Ｅに開示するように、弾性部材２２８は、光電気モジュール２００がアンラッチ形態のとき、ラッチ形態と比べさらに弾性変形させられる。
【００２８】
従動体２０６のスライドによって、ケージの板ばねが傾斜面２１２に沿ってスライドさせられる。このことによって、板ばねは、フィンガ２１４上に配置されるまで、ケージの中央から離れるように付勢される。フィンガ２１４の構成によって、板ばねはもはやショルダ２１６に当接しなくなり、したがって、光電気モジュール２００が、板ばねにより妨げられることなく、ケージから取り外される。
【００２９】
図２Ｅに開示するように、凹部２３２は、規制（ｒｅｓｔｒａｉｎｉｎｇ）部材２３０の進行を止めることによって、アンラッチ位置の従動体２０６のスライドの進行を止めることが可能である。従動体２０６のスライドの進行を止めることによって、従動体２０６が光電気モジュール２００のハウジングから外れることが抑制される。従動体２０６の進行を止めることによって、アンラッチ位置における駆動体２２０の進行も止められ得る。
【００３０】
ラッチ機構は、駆動体２２０がアンラッチ位置に回転させられるとき、光電気モジュール２００に差し込まれている光ケーブル（図示せず）が差し込まれたままにできるように構成され得る。駆動体２２０は、駆動体２２０がアンラッチ位置に存在するとき、光電気モジュールに差し込まれる光ケーブルと駆動体２２０とが干渉することを抑制するための後退部２２１を備える場合がある。
【００３１】
光電気モジュール２００がホスト機器のケージから取り外されるとき、光ケーブルが光電気モジュール２００に差し込まれているようにしておくことは、不注意により光ケーブル同士が入れ替わることなく、取り外された光電気モジュール２００が別のホスト機器のケージに再配置されることを可能にし得る。取り外された光電気モジュール２００が取り替えられる場合、光ケーブルが、その取り外された光電気モジュール２００から直接的に、取り替えられる光電気モジュール２００に再配置され得るので、取り替えプロセスを迅速化すること及び／又は光ケーブル同士が入れ替わる可能性を低減することが可能となる。
【００３２】
図３は、例示的な底部ハウジング２０２の下面斜視図であり、図４は、例示的な従動体２０６の上面斜視図であり、図６は、例示的な駆動体２２０の上面斜視図であり、これら全て、図２Ａの例示的な光電気モジュール２００の図である。
【００３３】
図３、図４、及び図６を参照すると、ラッチ機構の組立中、従動体２０６の掛止突出部２１８は、駆動体２２０の掛止開口部２２２に挿入される。従動体４０６は、掛止突出部２１８が掛止開口部２２２に挿入されるように、掛止突出部２１８がともに付勢されることを可能にする弾性アーム４０２を備え得る。
【００３４】
動作中、掛止突出部２１８は、駆動体２２０がラッチ位置とアンラッチ位置との間において回転させられるとき、掛止開口部２２２のカム表面６０４に沿ってスライドできる。さらに、この場合、掛止突出部２１８は、駆動体２２０がラッチ位置に存在するとき、デテント６０６に接して位置している。組立中、掛止突出部２１８は、フランジ付き突出部２２４を従動体２０６の開口部２２５に通させるように駆動体２２０と従動体２０６とが操作されるよう、掛止開口部２２２の組立用凹部６０８内に配置されている。
【００３５】
図６に開示するように、フランジ付き突出部２２４は、フランジ６０２を備え得る。図２Ｃ、図２Ｅ、及び図４に開示するように、開口部２２５は、フランジ付き突出部２２４
の外形を通過させるのに適切なサイズにできる。動作中、開口部２２５のスライド部４０４によって、従動体２０６がフランジ付き突出部２２４に対して動くことができる。
【００３６】
さらに、組立中、従動体２０６は、底部ハウジング２０２の近くに、ただし底部ハウジング２０２から離れて配置されていてもよく、弾性部材（図示せず）は、従動体２０６の保持部材２３０に挿入され、底部ハウジング２０２の突出部２２６の後ろに配置されていてもよい。いくつかの実施形態では、底部ハウジング２０２は、組立中に弾性部材の配置及び／又は規制を支援するため、突出部２２６の周囲又は近くに窪み３０４を含んでいてもよい。従動体２０６が、底部ハウジング２０２の近くに、ただし底部ハウジング２０２から離れて配置されているとき、フランジ付き突出部２２４は、底部ハウジング２０２のフランジ付き開口部３０２に挿入される。図３に示すように、フランジ付き開口部３０２は、フランジ付き突出部２２４が、フランジ付き突出部２２４の軸に沿って底部ハウジング２０２から引き離されることを抑制するように構成されている。いくつかの実施形態では、フランジ付き開口部３０２は、フランジ付き突出部２２４が複数の方向に対して動かないように保持する。いくつかの実施形態では、さらに、従動体２０６は、フランジ付き突出部２２４がいくつかの方向に対して動かないように保持してもよい。例えば、完全に組み立てられた光電気モジュールでは、従動体２０６は、フランジ付き突出部２２４がフランジ付き開口部３０２に入った方向においてフランジ付き突出部２２４がフランジ付き開口部３０２から出ないように保持できる。
【００３７】
組立を終わらせるべく、弾性部材の位置を保持部材２３０内と突出部２２６の後ろとにおいて維持しつつ、従動体２０６が底部ハウジング２０２上の組立位置に動かされるように、従動体アーム４０６は、外向きに曲げられる。次いで、頂部ハウジング（図示せず）が、底部ハウジング２０２に取り付けられる。
【００３８】
図５は、例示的な従動体５００の別の実施形態の上面斜視図である。例示的な従動体５００は、一般に、従動体２０６と同じでよいが、図４を参照して開示された弾性アーム４０２と機能について一般に類似する代替の弾性アーム５０２を備え得る。
【００３９】
図７は、例示的な駆動体７００の別の実施形態の上面斜視図である。例示的な駆動体７００は、一般に、駆動体２２０と同じでよいが、より奥行きの深い後退部７０２と、異なるように構成されている掛止開口部７０４とを含み得る。掛止開口部７０４は、掛止開口部２２２を参照して開示されたカム表面６０４、デテント６０６、及び組立用凹部６０８と機能について一般に類似するカム表面７０６、デテント７０８、及び組立用凹部７１０を含み得る。
【００４０】
本発明は、その趣旨又は本質的な特徴から逸脱することなく、他の具体的な形態において具現化されてもよい。説明された実施形態は、全ての点において、例示であって限定するものではないと考えられる。したがって、本発明の範囲は、以上の説明よりはむしろ添付の特許請求の範囲によって示される。特許請求の範囲と均等な意味及び範囲内に入る全ての変更は、特許請求の範囲に包含される。
【図１】
0006263539.tif 000002
【図２Ａ】
0006263539.tif 000003
【図２Ｂ】
0006263539.tif 000004
【図２Ｃ】
0006263539.tif 000005
【図２Ｄ】
0006263539.tif 000006
【図２Ｅ】
0006263539.tif 000007
【図３】
0006263539.tif 000008
【図４】
0006263539.tif 000009
【図５】
0006263539.tif 000010
【図６】
0006263539.tif 000011
【図７】
0006263539.tif 000012